(57)【要約】【課題】オーバーライト特性の悪いディスクに対しても、記録時間を大幅に増すことなく良好な記録品質を保ったまま記録することを可能にした光ディスク記録方法および光ディスク記録装置を提供する。【解決手段】光ディスクを記録装置に挿入する際に、光ディスクに設けられた試し書き領域を使用して試し書きを行うとともに、記録時に記録データの記録品質を評価し、記録品質がオーバーライト特性によって悪い場合には記憶してあるパワーアップ係数を試し書きで求めた記録パワーに乗じ、算出された記録パワーおよび消去パワーで以降のデータを記録するようにした。【選択図】  図１
2009158019.tif 000002
【特許請求の範囲】
【請求項１】
書き換え可能な光ディスクにデータを記録する光ディスク記録方法であって、
前記光ディスクを光ディスク記録装置に挿入する際に前記光ディスクに設けられた試し書き領域を使用して試し書きを行って第１の記録パワーおよび第１の消去パワーを設定すし、
前記第１の記録パワーおよび第１の消去パワーで規定量の情報データを記録した後に、記録した情報データ記録領域のデータ再生を行って記録品質を評価し、
前記情報データ記録領域の記録品質がオーバーライト起因で悪いと判断された場合には、あらかじめ決められた係数を前記第１の記録パワーおよび前記第１の消去パワーに乗じて算出された第２の記録パワーおよび第２の消去パワーで以降の前記情報データを記録するようにしたことを特徴とする光ディスク記録方法。
【請求項２】
請求項１記載の光ディスク記録方法において、前記第２の記録パワーを算出するための係数を略１．１５以上、前記第２の消去パワーを算出するための係数を略１．１に設定することを特徴とする光ディスク記録方法。
【請求項３】
請求項１記載の光ディスク記録方法において、前記第２の記録パワーおよび前記第２の消去パワーで記録した後にライトリトライ処理によって再度同一箇所をオーバーライトする場合には前記第１の記録パワー、前記第１の消去パワーで記録することを特徴とする光ディスク記録方法。
【請求項４】
書き換え可能な光ディスクを回転させるためのモータと、前記光ディスクにレーザ光を照射してデータを記録するピックアップを備えた光ディスク記録装置において、
前記ピックアップのレーザ照射パワーを制御するパワー制御手段と、
前記パワー制御手段により試し書きを行い、その検出結果である記録用最適パワー値を格納するためのパワー記憶手段と、
あらかじめ定められた係数を格納する係数記憶手段と、
記録された情報データの記録品質を評価する記録品質評価手段とを備え、
前記光ディスクへの記録に先立って前記光ディスクに設けられた試し書き領域を使用して試し書きを行い、
前記試し書きによって検出された第１の記録パワーおよび前記第１の消去パワーを前記パワー記憶手段に格納し、
前記第１の記録パワーおよび前記第１の消去パワーで規定量の情報データを記録した後に、記録した情報データ記録領域のデータ再生を行い前記記録品質評価手段によって記録品質を評価し、
前記情報データ記録領域の記録品質がオーバーライト起因で悪いと判断された場合には前記係数記憶手段に格納された係数と前記第１の記録パワーおよび前記第１の消去パワーとから算出された第２の記録パワーおよび第２の消去パワーで以降の前記情報データを記録するようにしたことを特徴とする光ディスク記録装置。
【請求項５】
書き換え可能な光ディスクにデータを記録する光ディスク記録方法において、
前記光ディスクを光ディスク記録装置に挿入する際に前記光ディスクに設けられた試し書き領域を使用して試し書きを行って記録パワーおよび消去パワーを設定し、
前記記録パワーおよび消去パワーで規定量の情報データを記録した後に、記録した情報データ記録領域のデータ再生を行って記録品質を評価し、
前記情報データ記録領域の記録品質がオーバーライト起因で悪いと判断された場合には、以降の記録処理において、規定量の情報データを記録した後に、同一の情報データを再度同一個所に再記録し、
その後記録した情報データ記録領域のデータ再生を行って記録品質を評価するように動作させるようにしたことを特徴とする光ディスク記録方法。
【請求項６】
書き換え可能な光ディスクを回転させるためのモータと、前記光ディスクにレーザ光を照射してデータを記録するピックアップを備えた光ディスク記録装置において、
前記ピックアップのレーザ照射パワーを制御するパワー制御手段と、
前記パワー制御手段により試し書きを行い、その検出結果である記録用最適パワー値を格納するためのパワー記憶手段と、
記録された情報データの記録品質を評価する記録品質評価手段とを備え、
前記光ディスクへの記録に先立って前記光ディスクに設けられた試し書き領域を使用して試し書きを行い、
前記試し書きによって検出された記録パワーおよび消去パワーを前記パワー記憶手段に格納し、
記録時には記録した情報データ記録領域のデータ再生を行って前記記録品質評価手段によって記録品質を評価し、
前記情報データ記録領域の記録品質がオーバーライト起因で悪いと判断された場合には、以降の記録処理において、規定量の情報データを記録した後に、同一の情報データを再度同一個所に再記録し、
その後記録した情報データ記録領域のデータ再生を行って記録品質を評価するように動作させるようにしたことを特徴とする光ディスク記録装置。
【請求項７】
請求項４又は６記載の光ディスク記録装置において、前記光ディスクのＩＤコードの内容により記録動作を制御するようにしたことを特徴とする光ディスク記録装置。
【発明の詳細な説明】
【技術分野】
【０００１】
本発明は書き換え可能な光ディスクへの情報記録方法および光ディスク記録装置に関し、特に光ディスクのオーバーライト特性悪化によるトータル記録時間の増大を改善する光ディスク記録方法および光ディスク記録装置に関する。
【背景技術】
【０００２】
背景技術として、特許文献１（特開２００４−２７３０７４号公報）がある。特許文献１においては、書き換え型光ディスクに新しいデータをオーバーライトする際に、旧データが記録された部分に所定量ずつ消去パワーを変化させながら複数段階の消去パワーのレーザ光を連続的に照射して、旧データを試し消去する。次に試し消去した旧データ部分に再生レベルのレーザ光を照射して再生を行い、再生信号中の雑音レベルが最小となる部分に照射したレーザ光の消去パワーレベルを最適消去パワーに設定するようになされている。
【０００３】
【特許文献１】特開２００４−２７３０７４号公報  第１０頁  図８
【発明の開示】
【発明が解決しようとする課題】
【０００４】
書き換え可能な光ディスクであるＤＶＤ−ＲＡＭでは、記録時にはレーザの照射によって記録膜に結晶化部分とアモルファス部分とを生成し、それぞれを記録情報データの『０』、『１』に対応させるとともに、再生時にはその反射率の違い（結晶化部分＞アモルファス部分）によってデータの『０』、『１』を判別する相変化記録方式を採用している。この相変化記録方式では、記録時に記録パワー（Ｐｗ）および消去パワー（Ｐｅ）の２値レベルからなる記録パルスを使用し、既に記録されている情報データ(旧データ)を消去しながら新データを記録する（以下、オーバーライトと記す）構成となっている。
【０００５】
このような書き換え可能な光ディスクに対応する記録装置では、ディスク媒体の膜特性、使用しているレーザ発光特性、ディスクとピックアップの相互位置関係などにより最適な記録パワー値が変わるため、ディスクを記録装置にローディングした後、情報信号記録を開始する前にそのディスクに対する記録パワー、および消去パワーの最適値を求める記録パワー制御（ＯＰＣ：Optimum Power Control。以下、試し書きと記す）を設けている。
【０００６】
ＤＶＤ−ＲＡＭでは、ディスクの最内周および最外周に設けられたDrive test zone を使用して試し書きを実行し、その装置、そのディスクの組み合わせに対する記録パワー、消去パワーの最適値を求める。ここで記録装置によっては試し書きに使用する領域を試し書き動作安定性を確保するために、試し書きの開始時あるいは終了時に記録された試し書き用信号を消去することがある。このような条件で実施された試し書きで求められた最適パワー値はデータ記録領域の無記録部分に対応したものとなるので、ディスクによってはオーバーライト特性の影響で上記の試し書きで求めた無記録部分に対応した最適パワー値では、記録されている旧データ部を十分に消去しきれないため、新データの記録品質を確保することが難しく、たとえば新データのエラーレートが悪化するような状況になることがある。
【０００７】
ＤＶＤ−ＲＡＭの場合、一般的には広いパワーマージンがあり、オーバーライト時においてもこのように記録パワー、消去パワーを変更する処理を必要とはせず、ディスクローディング時に行うDrive test zoneを使用した試し書きで求めたパワー値で十分対応できる。しかし、一部のディスクでは記録後一定時間放置した場合にオーバーライト特性が変化し、上記の試し書きで求めた記録パワー、消去パワーでは十分な記録品質が確保できず所望のエラーレートが得られないという課題がある。また、このような特徴を有するディスクにおいては、もともとの記録パワー対再生ジッター特性が不安定であり、消去パワーを単純に増加させる、あるいは上記公報に示されたような消去パワーのみを最適化する方法では、ディスクおよび記録装置の性能ばらつきに対して十分な記録性能マージンを確保できないという課題がある。これらの課題に対して本発明者が検討した結果、オーバーライト特性の悪いディスクでは記録動作の再実行（以下、ライトリトライと記す）をすればパワーを増加させることなく一定の記録品質（データ再生には問題ないレベル）が確保できることがわかった。ただし、従来のリードアフターライト記録方式では、まず複数ブロック単位の情報データの記録、即時再生を行い、記録済データが誤り訂正不能であることがわかったブロックに対して誤りブロック毎にライトリトライ、即時再生動作をそれぞれ行うことになるので、サーボ回路３によるピックアップ４のトラックジャンプ、サーチ時間を考慮するとオーバーライト特性の悪いディスクにおいてライトリトライが多発する場合には、一定量のデータを記録するのに通常の２〜３倍の記録時間を費やすことになる。
【０００８】
本発明の目的は、オーバーライト特性の悪いディスクに対しても、記録時間を大幅に増すことなく良好な記録品質を保ったまま記録することを可能にした光ディスク記録方法および光ディスク記録装置を提供することにある。
【課題を解決するための手段】
【０００９】
本発明にかかわる第１の光ディスク記録方法では、書き換え可能な光ディスクへのデータ記録において、前記光ディスクを光ディスク記録装置に挿入する際に前記光ディスクに設けられた試し書き領域を使用して試し書きを行って第１の記録パワーおよび第１の消去パワーを設定するとともに、前記第１の記録パワーおよび第１の消去パワーで規定量の情報データを記録した直後に、記録した情報データ記録領域のデータ再生を行って記録品質を評価し、前記情報データ記録領域の記録品質がオーバーライト起因で悪いと判断された場合には、あらかじめ決められた係数を前記第１の記録パワーおよび前記第１の消去パワーに乗じて算出された第２の記録パワーおよび第２の消去パワーで以降の前記情報データを記録するようにした。
【００１０】
また本発明の第２の記録方法では、前記第２の記録パワーを算出するための係数を略１．１５以上、前記第２の消去パワーを算出するための係数を略１．１に設定するようにした。
【００１１】
また本発明の第３の記録方法では、前記第２の記録パワーおよび前記第２の消去パワーで記録した後にライトリトライ処理によって再度同一箇所をオーバーライトする場合には前記第１の記録パワー、前記第１の消去パワーで記録するようにした。
【００１２】
また本発明の第４の記録装置では、書き換え可能な光ディスクと、前記光ディスクを回転させるためのモータと、前記光ディスクにレーザ光を照射してデータを記録するピックアップを備えた光ディスク記録装置において、前記ピックアップのレーザ照射パワーを制御するパワー制御手段と、前記パワー制御手段により試し書きを行い、その検出結果である記録用最適パワー値を格納するためのパワー記憶手段と、あらかじめ定められた係数を格納する係数記憶手段と、記録された情報データの記録品質を評価する記録品質評価手段とを備え、前記光ディスクへの記録に先立って前記光ディスクに設けられた試し書き領域を使用して試し書きを行い、前記試し書きによって検出された第１の記録パワーおよび第１の消去パワーを前記パワー記憶手段に格納するとともに、前記第１の記録パワーおよび第１の消去パワーで規定量の情報データを記録した後に、記録した情報データ記録領域のデータ再生を行い前記記録品質評価手段によって記録品質を評価し、前記情報データ記録領域の記録品質がオーバーライト起因で悪いと判断された場合には前記係数記憶手段に格納された係数と前記第１の記録パワーおよび前記第１の消去パワーとから算出された第２の記録パワーおよび第２の消去パワーで以降の前記情報データを記録するようにした。
【００１３】
また本発明の第５の記録方法では、書き換え可能な光ディスクへのデータ記録において、前記光ディスクを光ディスク記録装置に挿入する際に前記光ディスクに設けられた試し書き領域を使用して試し書きを行って記録パワーおよび消去パワーを設定し、前記記録パワーおよび消去パワーで規定量の情報データを記録した後に、記録した情報データ記録領域のデータ再生を行って記録品質を評価し、前記情報データ記録領域の記録品質がオーバーライト起因で悪いと判断された場合には、以降の記録処理において、規定量の情報データを記録した後に、同一の情報データを再度同一個所に再記録し、その後記録した情報データ記録領域のデータ再生を行って記録品質を評価するように動作させるようにした。
【００１４】
また本発明の第６の記録装置では、書き換え可能な光ディスクを回転させるためのモータと、前記光ディスクにレーザ光を照射してデータを記録するピックアップを備えた光ディスク記録装置において、前記ピックアップのレーザ照射パワーを制御するパワー制御手段と、前記パワー制御手段により試し書きを行い、その検出結果である記録用最適パワー値を格納するためのパワー記憶手段と、記録された情報データの記録品質を評価する記録品質評価手段とを備え、前記光ディスクへの記録に先立って前記光ディスクに設けられた試し書き領域を使用して試し書きを行い、前記試し書きによって検出された記録パワーおよび消去パワーを前記パワー記憶手段に格納するとともに、記録時には記録した情報データ記録領域のデータ再生を行って前記記録品質評価手段によって記録品質を評価し、前記情報データ記録領域の記録品質がオーバーライト起因で悪いと判断された場合には、以降の記録処理において、規定量の情報データを記録した後に、同一の情報データを再度同一個所に再記録し、その後記録した情報データ記録領域のデータ再生を行って記録品質を評価するように動作させるようにした。
【００１５】
また本発明の第７の記録装置では、前記光ディスクのＩＤコードの内容により記録動作を制御するようにした。
【発明の効果】
【００１６】
本発明によれば、オーバーライト特性の悪いディスクに対しても記録所要時間を増加させることがなく安定な記録を提供できる。
【発明を実施するための最良の形態】
【００１７】
以下、本発明の実施形態を図を用いて説明する。
【実施例１】
【００１８】
図１は本発明によるディスク記録装置のブロック図であり、１はディスク、２はモータ、３はサーボ回路、４はピックアップ、５はＲＦアンプ、６はイコライザ回路、７はレーザ駆動回路、８は信号処理回路、９はパワー制御回路、１０はオーバーライト判定回路、１１はパワー記憶部、１２は係数記憶部、１３は光ディスク記録装置、１４はドライブ制御装置である。
【００１９】
まず、光ディスク記録装置１３に、たとえばＤＶＤ−ＲＡＭディスク１が挿入されるとモータ２、サーボ回路３によってディスク１を回転させ、ピックアップ４、ＲＦアンプ５、イコライザ回路６を介してディスク１上に記録されたコントロール信号などの情報を読み取り、信号処理回路８によってディスク媒体判別が行われる。ここで挿入されたディスク１がＤＶＤ−ＲＡＭと判別されると、パワー制御回路９を動作させて試し書きを行い、そのディスク１への記録パワー、消去パワー値を決定する。ＤＶＤ−ＲＡＭの場合は、あらかじめこの試し書き用に専用エリア（前述のDrive test zone）がディスク１の最内周、最外周にそれぞれ設けられている。この試し書きでは挿入されたディスク１が初期状態の場合には、ディスク１に記録されているコントロールデータを基準に試し書きスタートパワー値を決め、すでに当該ディスク記録装置１３によって１回以上記録されている場合には、ＤＩＺ（Disc Identification Zone）に記録されている最適パワー情報を基準として試し書きを実行する。このディスク１のローディング時の試し書きによって当該ディスク１、光ディスク記録装置１３の組み合わせに対する最適記録パワー、消去パワーが求まると信号処理回路８の動作によってパワー記憶部１１にこのパワー値を記憶した後に、光ディスク記録装置１３は動作待ち状態となり、その後はたとえばホストコンピュータで構成されるドライブ制御装置１４の指令に基づきデータの記録または再生状態に制御される。
【００２０】
情報データ記録時には、サーボ回路３はディスク１を所定のスピードで回転させるとともに、レーザスポットのフォーカスおよびトラッキング制御を行い、情報データを順次記録していく。パワー制御回路９はパワー記憶部１１に記憶されている記録パワー、消去パワーデータを読み出すとともに信号処理回路８で生成される記録データ列とともにレーザ駆動回路７に送出する。レーザ駆動回路７は記録データ信号のパワーデータ値を所定の値に変換し、ピックアップ4に搭載されたレーザダイオード(図示せず)の照射によってディスク１上にデータを記録する。次に一定量のデータが記録されたならばリードアフターライト処理により記録済み信号の記録品質がチェックされ、一定値以上の記録品質が確保されていない（誤り訂正不能）ときにはライトリトライ処理、ディスク欠陥などでライトリトライを繰り返しても記録品質が改善されない場合には交替処理が実施される。ここで書き換え可能なディスク１のオーバーライト特性が悪い場合には、一定の記録品質が確保されるまでライトリトライが繰り返されることになり、結果的にデータ記録所要時間が増加するという問題を生じる。
【００２１】
以下、ＤＶＤ−ＲＡＭディスクの中で特にオーバーライト特性の悪いディスクの挙動について説明する。
【００２２】
図２に消去パワーの変化に対するオーバーライト特性の一例を示す。図２は下地となる記録信号の記録パワー（Ｐｗ）、消去パワー（Ｐｅ）を試し書きによって求めた値に設定して複数のデータブロック(エリア)に情報データを記録し、次に消去パワー（Ｐｅ）のみを順次変えてそれぞれの記録済みブロックをオーバーライトした場合のエラーの変化を示したものである。図２における縦軸のエラー数はたとえばパリティエラー数やＰＬＬ回路の位相誤差信号の分散などから計算された数値であり、再生ジッターとほぼ等価な指標である。ここで１ブロックあたりのエラー数５０個以下が再生エラーを生じない閾値とすると、オーバーライト特性の悪いディスク１では消去パワーだけを増してもデータ再生上問題ないジッター値までは改善できないことになる。
【００２３】
図３に記録パワーの変化に対するオーバーライト特性の一例を示す。図３は図２に示した方法と同様に、下地となる記録信号の記録パワー（Ｐｗ）、消去パワー（Ｐｅ）を試し書きによって求めた値に設定して複数のブロックに情報データを記録し、次に記録パワー（Ｐｗ）のみを変えてそれぞれの記録済みブロックをオーバーライトした場合のエラー数の変化を示したものである。図３より記録パワー（Ｐｗ）を増していくとオーバーライト後のエラー数は改善するものの徐々に飽和しエラー数０とならないことがわかるが、これはもともとのディスクの性能が悪いことを示している。ここでもっともエラー数が少なくなるのは、試し書きパワーに対して１５〜２０％記録パワー（Ｐｗ）を増した場合である。
【００２４】
図４に記録パワー、消去パワーの変化に対するオーバーライト特性の一例を示す。図４は図２、図３に示した方法に対して、下地となる記録信号の記録パワー（Ｐｗ）、消去パワー（Ｐｅ）の比（Ｐｗ／Ｐｅ）を一定でパワー値をそれぞれ変えて複数のブロックに記録し、次にそのディスクの最適記録パワー、消去パワー（前述した試し書きによって取得したパワー値）によってそれぞれのブロックをオーバーライトした場合のエラー数の変化をグルーブ、ランドに分けて示したものである。グルーブ側のオーバーライトマージンは広く下地記録パワーの変化に対するエラー数の悪化は少ないが、ランド側はオーバーライト記録パワーに対して少しでも下地記録パワーが高いとエラー率が悪化している。一般的なＤＶＤ−ＲＡＭディスクではこのような現象はなく、ランドの特性はグルーブとほぼ同等の性能である。以上から、オーバーライト特性が悪いディスクはランド側の特性に原因があることがわかる。また、このようなディスクでは記録直後に再度オーバーライトした時よりも、数十分から１時間以上経過してからオーバーライトした時のほうが消去特性が悪化することもわかった。
【００２５】
以上、図２から図４に示したような光ディスクの特性を考慮し、従来の光ディスク記録装置１３では記録直後にデータを再生し、記録したデータの記録品質が悪い場合にはライトリトライを実施することによって記録データの信頼性を確保していた。しかしこの記録方式では、まず複数ブロック単位の情報データの記録、即時再生を行い、次に記録済データが誤り訂正不能であることがわかったブロックに対して誤りブロック毎にライトリトライ、即時再生動作をそれぞれ行うことになるので、サーボ回路３によるピックアップ４のトラックジャンプ、サーチ時間を考慮するとオーバーライト特性の悪いディスクにおいてライトリトライが多発する場合には、一定量のデータを記録するのに通常の２〜３倍の記録時間を費やすことになる。たとえばＤＶＤ−ＲＡＭの３倍速ディスクに全面記録する場合（４．７ＧＢ）、通常ではリードアフターライトを行いながら記録するとおよそ４０分で記録が終了するが、ここでオーバーライト特性が悪くランド側のライトリトライが多発するようなディスク１を使用すると、全面記録を完了するのに最悪２時間以上もかかってしまう。またライトリトライによっても記録品質が確保できない条件が加わると、ディスクの最内周、最外周に設けられた交替エリアに記録することになるためピックアップ４の移動時間が加算され、さらに記録時間が増大する。
【００２６】
そこで図１に示した本発明の第１の実施形態では書き換え可能なディスク１にデータを記録する場合、ディスク１のローディング時にディスク１に設けられた試し書き部を使用して通常の試し書きを行うとともに、データ記録開始後にライトリトライが多発しオーバーライト判定回路１０がオーバーライト特性の悪化と判断した場合には、次のライト処理において係数記憶部１２に記憶されているパワーアップ係数を読み出し、パワー記憶部１１のパワーデータに乗じてオーバーライト用の記録パワーを使用するようにした。オーバーライト判定回路１０は、たとえばライトリトライの回数などをモニタし、当該記録部分の記録品質の悪化がオーバーライト特性によるものか、ディスクの欠陥によるものかどうかを判別する動作を行う。ディスク欠陥の場合、ライトリトライを繰り返してもエラー数は減少しないが、オーバーライト特性悪化の場合にはライトリトライを行うことによってエラー数が減少することから判別できる。
【００２７】
図５に本発明による記録パワー設定方法の一例を示す。図２、図３で示したように時間経過によりオーバーライト特性が悪化するディスク１ではオーバーライト特性のみに着目した最適消去パワー、最適記録パワーはほぼ決まっているので、以降の記録ではパワー制御回路９は係数記憶部１２に記憶されているオーバーライト用の記録パワー、消去パワー係数を読み出してパワー記憶部１１に格納されたパワーデータにこの係数を乗算しその結果をレーザ駆動回路７に送出する。図５は記録パワーを試し書きで求めたパワーに対して１５パーセントアップさせた例である。
【００２８】
以上の動作で以降はオーバーライトに適した記録パワーで記録されるため、オーバーライト特性の悪化によるライトリトライの増加がなくなり、記録所要時間の増加を防ぐことができる。この係数の具体的な値としては消去パワー（Ｐｅ）＝１．１、記録パワー（Ｐｗ）＝１．２程度が最適である。
【００２９】
本実施形態においては、一連の情報データ記録が終了した時点、あるいは記録ゾーン切り換え時に試し書き取得パワーに戻すように制御している。ここで記録パワーアップされたままディスク１の未記録領域に入った場合には、通常よりも高パワーで記録されることになるが、最大でも試し書き取得パワーの１．２倍程度でありディスク１に損傷を与えることはない。また、一旦高パワーでライトした後に再びライトリトライ要求が発生した場合には、下地が消去されやすくなっているので、試し書きで求めたパワーに戻しても良い。これにより、本来の記録膜の適正パワーで記録されることになり、記録信号品質をより高めることができる。
【００３０】
次にディスク１が挿入されたままで新たな記録実行命令がドライブ制御部１４より出力されると、まずは試し書き取得パワーでデータを記録し始め、ここでライトリトライが発生しなければ以降もこのパワーで記録を続行し、また反対にライトリトライが多発する場合には、オーバーライト判定回路１０は、当該記録部分の記録品質の悪化がオーバーライト特性によるものと判断し、係数記憶部１２の係数読み出しによるパワーアップで以降の記録を行わせるように制御する。
【００３１】
以上の構成により、オーバーライト判定回路１０の動作によりライトリトライの回数情報から記録部分が未記録か記録済みかを判別でき、少なくとも記録動作が未記録部分から始まった場合には、記録動作が既記録部分に移ってオーバーライト部分と判定されるまでは、未記録部に対する最適パワーで記録できる。
【００３２】
このようなオーバーライト特性が悪化するディスク１の種類は少ないため、最初のディスクローディング時にディスクＩＤ情報を読み取り、信号処理回路８に登録してあるオーバーライト特性の悪いディスクと判別されたときに、本発明の記録方法を適用するようにしても良い。これにより通常ディスクに対する誤動作による高パワー書きを防ぐことができる。
【００３３】
図６に本発明による第１の実施形態のフローチャートを示す。図６は前述してきた本発明による光ディスク記録装置１３の記録動作を説明するものである。試し書きによって求めたライトパワーでデータを記録していくが、オーバーライト判定回路１０の動作により、使用しているディスク１のオーバーライト特性が悪いと判断された時に、オーバーライト用パワー（第２パワー）に再設定する点に特徴がある。以降、ドライブ制御装置１４からライト終了命令が出された時点で一連の記録動作を終了する。その後は、ドライブ制御装置１４の指示に従い、リード動作、アンローディング動作などを行うことになるが、ここでディスク１をアンロードせずに再度記録動作を行わせる時には、前述したように試し書き取得パワー（第1パワー）に戻すため図中に示したＡより動作させる。
【実施例２】
【００３４】
図７に本発明による第２の実施形態による記録方法の一例を示す。
【００３５】
本発明の第２の実施形態では、ライトリトライが頻発してオーバーライト特性が悪いと判断されると、２回連続書きモードに移行するところに特徴がある。
【００３６】
図７（a）に従来のリードアフターライト記録方式、（b）に本発明の記録方式を示す。（a）の従来リードアフターライト記録方式では、まずデータライト時に数ブロックから十数ブロックのデータを連続的に記録し、次にリードアフターライト処理によって全記録データブロックの記録信頼性がチェックされる。ここで記録品質の悪いブロックがあった場合には、各ブロック毎にライトリトライ、リード処理が実施され、数回のライトリトライでも記録品質が確保できない場合には交替領域に記録する動作となっている。（a）に示した例において、たとえば１２ブロック分の情報データを連続的に記録し(図中write)、次に１２ブロックの記録データを連続的に再生して(図中read)記録データのチェックを行う。ここでたとえばランド側のオーバーライト特性が悪く、ランド側データブロック６個すべてに対してライトリトライ要求が出されると、各ブロック毎に１ブロックライトリトライ(図中Ｗ)、１ブロック再生(図中Ｒ)を行って、記録データの信頼性が確保されたなら次のブロックの処理に移るように制御される。このため、ピックアップ４の位置制御が煩雑となり記録時間が増大していた。
【００３７】
そこで本発明は、このようなディスクではオーバーライト１回で記録品質が確保できることに着目し、最初に数ブロックから十数ブロックのデータを記録し、次に同じデータを直ちに同一ブロックにオーバーライトして、さらにその後全記録データブロックの再生を行って記録品質をチェックするようにした。ここで記録品質の悪いブロックが検出された場合の処理は従来記録方法と同じである。
【００３８】
（b）に示した例においては、たとえば１２ブロック分の情報データを連続的に記録(図中write)後、直ちに同じ１２ブロック分のデータを同一ブロックにオーバーライトする。次にリードアフターライト処理によって全記録データブロックの記録信頼性がチェックされる。（a）に示した従来の処理に対して、１２ブロックデータ記録１回分余計に時間がかかるが、記録後の各記録ブロック毎のライトリトライ、リード処理がほとんどなくなるため、結果的に記録時間を大幅に減少できる。この記録時間短縮化は、１回目のオーバーライト特性が悪いディスクほど大きい。たとえば、使用しているディスク１がランド側のオーバーライト特性が悪いだけならば、従来記録方法に対して記録時間を０．７倍程度に短縮できる。
【００３９】
以上本発明の光ディスク記録方法により、従来記録方法に対して全データを２回書くための時間は増加するが、記録ブロック毎のライトリトライを繰り返すことがほとんど無いのでリード処理は全データ再生１回で済み、記録時間を大幅に短縮できる。
【００４０】
ここで１回の記録処理における記録ブロック数は、２回目の記録、それに続く再生に適した最適トラックジャンプ位置によって決定する。その結果、最短の時間で記録、再生処理を移行できる。
【００４１】
図８に本発明による第２の実施形態のフローチャートを示す。図８は前述してきた本発明による光ディスク記録装置１３の記録動作を説明するもので、オーバーライト判定回路１０の動作により、使用しているディスク１のオーバーライト特性が悪いと判断された時に、２回連続書きモードに設定する点に特徴がある。以降、ドライブ制御装置１４からライト終了命令が出された時点で一連の記録動作を終了する。
【００４２】
また、従来記録方法への復帰は前述した第１の実施形態と同様、一連の記録終了後、またディスク１がＲＡＭの場合には、ゾーン切り換え点に設定すればよい。
【００４３】
以上、本発明の光ディスク記録方法および光ディスク記録装置を使用することにより、オーバーライト特性の悪いディスクに対しても記録所要時間を大幅に増加させることがなく良好な記録記録品質を提供できる。
【００４４】
また本発明の詳細をＤＶＤ−ＲＡＭを例として説明してきたが、記録媒体はこれに限らずＢｌｕ−ｒａｙ  Ｄｉｓｃ装置における書き換え可能なＢＤ−ＲＥ  ディスクに対しても適用できる。
【００４５】
以上、本発明に従う光ディスク記録方法及び光ディスク記録装置の実施形態について説明したが、本発明は上記実施形態に限定されず、本発明の要旨を逸脱しない範囲において種々の改良や変形を行うことができる。
【図面の簡単な説明】
【００４６】
【図１】本発明による第１の実施形態であるディスク記録装置のブロック図である。
【図２】消去パワーに対するオーバーライト特性の一例を示す図である。
【図３】記録パワーに対するオーバーライト特性の一例を示す図である。
【図４】記録パワー、消去パワーの変化に対するオーバーライト特性の一例を示す図である。
【図５】本発明による記録パワー設定方法の一例を示す図である。
【図６】本発明による第１の実施形態のフローチャートである。
【図７】本発明による第２の実施形態による記録方法の一例を示す図である。
【図８】本発明による第２の実施形態のフローチャートである。
【符号の説明】
【００４７】
１‥ディスク、２‥モータ、３‥サーボ回路、４‥ピックアップ、５‥ＲＦアンプ、
６‥イコライザ回路、７‥レーザ駆動回路、８‥信号処理回路、９‥パワー制御回路、
１０‥オーバーライト判定回路、１１‥パワー記憶部、１２‥係数記憶部、
１３‥光ディスク記録装置、１４‥ドライブ制御装置
【図１】
2009158019.tif 000003
【図２】
2009158019.tif 000004
【図３】
2009158019.tif 000005
【図４】
2009158019.tif 000006
【図５】
2009158019.tif 000007
【図６】
2009158019.tif 000008
【図７】
2009158019.tif 000009
【図８】
2009158019.tif 000010